(57)【要約】【課題】従来のようなポイントカードのようなプラスチックや紙によることなく、ポイントを付与する方法を提供するのと同時に、発行主体が事前に数字情報を付与する等の手続きを要することのない安全性の高いポイント付与システムを実現する。【解決手段】被発行者から送信されてきた文字情報をもとに二次元コードを生成し、識別符号として使用する。【選択図】図１
2004171499.tif 000002
【特許請求の範囲】
【請求項１】
二次元コードを利用したポイント付与装置であって、ポイントの被発行者から文字情報による識別符号を受信する第一受信手段と、前記第一受信手段に受信された前記被発行情報をもとに二次元コードを生成する生成手段と、前記受信した被発行者宛に、前記二次元コード生成した位置情報を送信する第一送信手段と、被発行者情報および前記二次元コードを記憶する第一記憶手段と、被発行者が提示し、認証要求者から光学的読取装置を通じて送信されてきた二次元コードに関する情報を受信する第二受信手段と、前記第一記憶手段に記憶された二次元コードに関する情報と第二受信手段で受信した二次元コードに関する情報の同一性を判定する判定手段と、前記判定結果を認証要求者に送信する第二送信手段と、認証要求者から出される被発行者に関するポイントに増減に関する要求情報を受信する第三受信手段と、ポイント情報を記憶しておく第二記憶手段と、前記第三受信手段の要求情報と第二記憶手段に蓄積されたポイント情報を基に新たなポイントを計算し第二記憶手段のポイント情報を書き換える計算手段と、前記書き換えられたポイント情報を認証要求者もしくは被認証者またはその双方に送信する第三送信手段を有するポイント付与装置。
【請求項２】
前記文字情報がインターネット上の電子メールアドレスであり、二次元コードに関する位置情報およびポイント情報がインターネットに接続された情報通信端末に送信されることを特徴とした請求項１のポイント付与装置。
【請求項３】
二次元コードを利用したポイント付与装置であって、ポイントの被発行者から文字情報による識別符号を受信する第一受信手段と、前記第一受信手段に受信した識別符号に対し固有符号を付与する付与手段と、前記第一受信手段に受信された前記被発行情報ならびに前記付与手段で付与された固有符号をもとに二次元コードを生成する生成手段と、前記受信した被発行者宛に、前記二次元コード生成した位置情報を送信する第一送信手段と、被発行者情報、固有符号および前記二次元コードを記憶する第一記憶手段と、被発行者が提示し、認証要求者から光学的読取装置を通じて送信されてきた二次元コードに関する情報を受信する第二受信手段と、前記第一記憶手段に記憶された二次元コードに関する情報と第二受信手段で受信した二次元コードに関する情報の同一性を判定する第一判定手段と、前記判定結果を認証要求者に送信する第二送信手段と、認証要求者から出される被発行者に関するポイントに増減に関する要求情報を受信する第三受信手段と、ポイント情報を記憶しておく第二記憶手段と、前記第二受信手段の要求情報と第二記憶手段に蓄積されたポイント情報を基に新たなポイントを計算し第二記憶手段のポイント情報を書き換える計算手段と、前記書き換えられたポイント情報を認証要求者もしくは被認証者またはその双方に送信する第三送信手段と、前記第一記憶手段に記憶された前記被発行情報の変更要求を受信する第四受信手段と、第四受信手段の正確性を判定する第二判定手段と前記第二判定手段で正確性が確認された場合第一記憶手段に蓄積された被発行者情報と二次元コードを書き換える書換手段を有したポイント付与装置。
【請求項４】
前記文字情報が、インターネット上の電子メールアドレスであり、二次元コードに関する位置情報およびポイント情報がインターネットに接続された情報通信端末に送信されることを特徴とした請求項３のポイント付与装置。
【請求項５】
前記被発行者が入力した被発行者の属性情報を受信する第四受信手段と、前記属性情報を記憶する第三記憶手段と、前記認証要求者の要求に基づき前記第二記憶手段または前記第三記憶手段から該当するものを抽出する抽出手段と、前記抽出された被認証者に関する情報を認証要求者に送信する第四送信手段と、認証要求者が作成した情報を記憶しておく第四記憶手段と、認証要求者からの要求に基づき前記抽出された被認証者に第四記憶手段に記憶した情報を送信する第五送信手段を有する請求項１のポイント付与装置。
【請求項６】
前記文字情報が、インターネット上の電子メールアドレスであり、二次元コードに関する位置情報およびポイント情報がインターネットに接続された情報通信端末に送信されることを特徴とした請求項５のポイント付与装置。
【請求項７】
前記被発行者が入力した被発行者の属性情報を受信する第五受信手段と、前記属性情報を記憶する第三記憶手段と、前記認証要求者の要求に基づき前記第二記憶手段または前記第三記憶手段から該当するものを抽出する抽出手段と、前記抽出された被認証者に関する情報を認証要求者に送信する送信手段と、認証要求者が作成した情報を記憶しておく第四記憶手段と、認証要求者からの要求に基づき前記抽出された被認証者に第四記憶手段に記憶した情報を送信する第四送信手段を有する請求項５のポイント付与装置。
【請求項８】
前記文字情報が、インターネット上の電子メールアドレスであり、二次元コードに関する位置情報およびポイント情報がインターネットに接続された情報通信端末に送信されることを特徴とした請求項７のポイント付与装置。
【請求項９】
二次元コードを利用したポイント付与方法であって、ポイントの被発行者から文字情報による識別符号を受信する第一受信ステップと、前記第一受信ステップに受信された前記被発行情報をもとに二次元コードを生成する生成ステップと、前記受信した被発行者宛に、前記二次元コード生成した位置情報を送信する第一送信ステップと、被発行者情報および前記二次元コードを記憶する第一記憶ステップと、被発行者が提示し、認証要求者から光学的読取装置を通じて送信されてきた二次元コードに関する情報を受信する第二受信ステップと、前記第一記憶ステップに記憶された二次元コードに関する情報と第二受信ステップで受信した二次元コードに関する情報の同一性を判定する判定ステップと、前記判定結果を認証要求者に送信する第二送信ステップと、認証要求者から出される被発行者に関するポイントに増減に関する要求情報を受信する第三受信ステップと、ポイント情報を記憶しておく第二記憶ステップと、前記第三受信ステップの要求情報と第二記憶ステップに蓄積されたポイント情報を基に新たなポイントを計算し第二記憶ステップのポイント情報を書き換える計算ステップと、前記書き換えられたポイント情報を認証要求者もしくは被認証者またはその双方に送信する第三送信ステップを有するポイント付与方法。
【請求項１０】
前記文字情報がインターネット上の電子メールアドレスであり、二次元コードに関する位置情報およびポイント情報がインターネットに接続された情報通信端末に送信されることを特徴とした請求項９のポイント付与方法。
【請求項１１】
二次元コードを利用したポイント付与装置であって、ポイントの被発行者から文字情報による識別符号を受信する第一受信ステップと、前記第一受信ステップに受信した識別符号に対し固有符号を付与する付与ステップと、前記第一受信ステップに受信された前記被発行情報ならびに前記付与ステップで付与された固有符号をもとに二次元コードを生成する生成ステップと、前記受信した被発行者宛に、前記二次元コード生成した位置情報を送信する第一送信ステップと、被発行者情報、固有符号および前記二次元コードを記憶する第一記憶ステップと、被発行者が提示し認証要求者から光学的読取装置を通じて送信されてきた二次元コードに関する情報を受信する第二受信ステップと、前記第一記憶ステップに記憶された二次元コードに関する情報と第二受信ステップで受信した二次元コードに関する情報の同一性を判定する第一判定ステップと、前記判定結果を認証要求者に送信する第二送信ステップと、認証要求者から出される被発行者に関するポイントに増減に関する要求情報を受信する第三受信ステップと、ポイント情報を記憶しておく第二記憶ステップと、前記第三受信ステップの要求情報と第二記憶ステップに蓄積されたポイント情報を基に新たなポイントを計算し第二記憶ステップのポイント情報を書き換える計算ステップと、前記書き換えられたポイント情報を認証要求者もしくは被認証者またはその双方に送信する第三送信ステップと、前記第一記憶ステップに記憶された前記被発行情報の変更要求を受信する第四受信ステップと、第四受信ステップの正確性を判定する第二判定ステップと前記第二ステップで正確性が確認された場合第一記憶ステップに蓄積された被発行者情報と二次元コードを書き換える書換ステップを有したポイント付与方法。
【請求項１２】
前記文字情報が、インターネット上の電子メールアドレスであり、二次元コードに関する位置情報およびポイント情報がインターネットに接続された情報通信端末に送信されることを特徴とした請求項１１のポイント付与方法。
【請求項１３】
前記被発行者が入力した被発行者の属性情報を受信する第四受信ステップと、前記属性情報を記憶する第三記憶ステップと、前記認証要求者の要求に基づき前記第二記憶ステップまたは前記第三記憶ステップから該当するものを抽出する抽出ステップと、前記抽出された被認証者に関する情報を認証要求者に送信する第四送信ステップと、認証要求者が作成した情報を記憶しておく第四記憶ステップと、認証要求者からの要求に基づき前記抽出された被認証者に第四記憶ステップに記憶した情報を送信する第五送信ステップを有する請求項９のポイント付与方法。
【請求項１４】
前記文字情報が、インターネット上の電子メールアドレスであり、二次元コードに関する位置情報およびポイント情報がインターネットに接続された情報通信端末に送信されることを特徴とした請求項１３のポイント付与方法。
【請求項１５】
前記被発行者が入力した被発行者の属性情報を受信する第五受信ステップと、前記属性情報を記憶する第三記憶ステップと、前記認証要求者の要求に基づき前記第二記憶ステップまたは前記第三記憶ステップから該当するものを抽出する抽出ステップと、前記抽出された被認証者に関する情報を認証要求者に送信する送信ステップと、認証要求者が作成した情報を記憶しておく第四記憶ステップと、認証要求者からの要求に基づき前記抽出された被認証者に第四記憶ステップに記憶した情報を送信する第四送信ステップを有する請求項１１のポイント付与方法。
【請求項１６】
前記文字情報が、インターネット上の電子メールアドレスであり、二次元コードに関する位置情報およびポイント情報がインターネットに接続された情報通信端末に送信されることを特徴とした請求項１５のポイント付与方法。
【発明の詳細な説明】
【０００１】
【発明の属する技術分野】本発明は、二次元コードを用いて、文字情報を識別符号として、認証を行いポイントを付与する技術である。
【０００２】
【従来の技術】
ポイントの付与は、店舗等の販売促進手段の一環として、通常プラスチックカードや紙カードの態様により、事前に登録された個人情報を識別符号として、個人情報登録後任意に個人に付与する会員番号等の数字情報を磁気カード等に格納し、当該数字情報を識別符号として認証を行い、ポイントの付与を行なっていた。また、携帯電話等によるポイントカードの付与の場合でも、事前に個人に付与した任意の会員番号や発信者番号等の数字情報を識別符号としてポイントの付与を行なっていた。
【０００３】
【発明が解決しようとする課題】
従来の技術では、事前登録された識別符号に任意の数字を割当てるプロセスが必要であるため、ポイントの付与を受けることを希望する顧客へポイントカードの発行は困難であった。また、任意の番号を事前に付与する方法によると、ポイントカードの即時発行は可能であるが、数桁の数字情報であるため付与番号を容易に想像され易く、他人の盗用、ポイントカードの偽造等の問題があり、別途パスワードを指定させる必要があるなどセキュリティの面で問題があった。また、格納される情報量に限りがあるため、属性情報の分析をするためには、予め属性情報を書面等の方法により被発行者に記入させる必要があった。
【０００４】
【課題を解決するための手段】本件出願によれば、二次元コードを利用したポイント付与装置であって、ポイントの被発行者から文字情報による識別符号を受信する第一受信手段と、前記第一受信手段に受信された前記被発行情報をもとに二次元コードを生成する生成手段と、前記受信した被発行者宛に、前記二次元コード生成した位置情報を送信する第一送信手段と、被発行者情報および前記二次元コードを記憶する第一記憶手段と、被発行者が提示し、認証要求者から光学的読取装置を通じて送信されてきた二次元コードに関する情報を受信する第二受信手段と、前記第一記憶手段に記憶された二次元コードに関する情報と第二受信手段で受信した二次元コードに関する情報の同一性を判定する判定手段と、前記判定結果を認証要求者に送信する第二送信手段と、認証要求者から出される被発行者に関するポイントに増減に関する要求情報を受信する第三受信手段と、ポイント情報を記憶しておく第二記憶手段と、前記第三受信手段の要求情報と第二記憶手段に蓄積されたポイント情報を基に新たなポイントを計算し第二記憶手段のポイント情報を書き換える計算手段と、前記書き換えられたポイント情報を認証要求者もしくは被認証者に送信する第三送信手段を有するポイント付与装置が提供される。
【０００５】このような装置の構成とすることにより、被発行者が入力した文字情報をそのまま識別符号として二次元コードを生成し、当該二次元コードを被発行者に付与することにより、ポイント付与をすることが可能とするものである。
【０００６】被発行者とは、ポイントカードの付与を希望する店舗、銀行、クレジットカード等の顧客が想定される。次に認証要求者とは、ポイントを顧客に付与する店舖、銀行、クレジットカード会社等が想定される。さらに、文字情報には、請求項に記載のとおり電子メールアドレスや個人の住所、氏名、生年月日、個人が指定したパスワード等の情報またはこれらを組み合わせた情報が想定される。また、二次元コードとは縦横に並べられたコードに限定されず、大容量の情報量を有する光学的読取装置により判別可能な他の識別標識を含むものである。また、二次元コードに関する位置情報とは、二次元コードを生成したインターネット上のリンク先等が想定され、被発行者はリンク先よりの二次元コードのダウンロードを可能にするものである。
【０００７】また、本発明の好ましい態様によれば、インターネットに接続された携帯電話、ＰＤＡ、パソコンなどの情報通信端末を用い、電子メールアドレスや他の個人情報を文字情報として被発行者より送信され、二次元コードに関する位置情報やポイント情報等を当該情報通信端末に送信されることが想定される。
【０００８】また、本件出願によれば、二次元コードを利用したポイント付与装置であって、ポイントの被発行者から文字情報による識別符号を受信する第一受信手段と、前記第一受信手段に受信した識別符号に対し固有符号を付与する付与手段と、前記第一受信手段に受信された前記被発行情報ならびに前記付与手段で付与された固有符号をもとに二次元コードを生成する生成手段と、前記受信した被発行者宛に、前記二次元コード生成した位置情報を送信する第一送信手段と、被発行者情報、固有符号および前記二次元コードを記憶する第一記憶手段と、被発行者が提示し、認証要求者から光学的読取装置を通じて送信されてきた二次元コードに関する情報を受信する第二受信手段と、前記第一記憶手段に記憶された二次元コードに関する情報と第二受信手段で受信した二次元コードに関する情報の同一性を判定する第一判定手段と、前記判定結果を認証要求者に送信する第二送信手段と、認証要求者から出される被発行者に関するポイントに増減に関する要求情報を受信する第三受信手段と、ポイント情報を記憶しておく第二記憶手段と、前記第三受信手段の要求情報と第二記憶手段に蓄積されたポイント情報を基に新たなポイントを計算し第二記憶手段のポイント情報を書き換える計算手段と、前記書き換えられたポイント情報を認証要求者もしくは被認証者に送信する第三送信手段と、前記第一記憶手段に記憶された前記被発行情報の変更要求を受信する第四受信手段と、第四受信手段の正確性を判定する第二判定手段と前記第二判定手段で正確性が確認された場合第一記憶手段に蓄積された被発行者情報と二次元コードを書き換える書換手段を有したポイント付与装置が提供される。
【０００９】ここで、固有符号とは、被発行者に対し任意に付与される数字情報、文字情報を指すものである。また第四受信手段の要求情報とは、情報通信端末の変更等の事情により、変更が必要になった電子メールアドレス等の新規の識別符号であり、第二判定手段で正確性が判定された場合に新しい識別情報に書き換える。
【００１０】本件発明の好ましい態様によれば、インターネットに接続された携帯電話、ＰＤＡ、パソコンなどの情報通信端末を用い、電子メールアドレスや他の個人情報を文字情報として被発行者より送信され、二次元コードに関する位置情報やポイント情報等を当該情報通信端末に送信され、情報通信端末の変更に応じ、電子メールアドレス等の文字情報を書換える必要が出ても、既存のポイント情報を継続して使用することが想定される。
【００１１】さらに、本件出願によれば、前記被発行者が入力した被発行者の属性情報を受信する第四受信手段と、前記属性情報を記憶する第三記憶手段と、前記認証要求者の要求に基づき前記第二記憶手段または前記第三記憶手段から該当するものを抽出する抽出手段と、前記抽出された被認証者に関する情報を認証要求者に送信する送信手段と、認証要求者が作成した情報を記憶しておく第四記憶手段と、認証要求者からの要求に基づき前記抽出された被認証者に第四記憶手段に記憶した情報を送信する第四送信手段を有する請求項１のポイント付与装置が提供される。
【００１２】ここで、属性情報とは、被発行者の購買回数、購買日時、購買金額、購買商品等の情報である。また第四記憶手段に保存される認証要求者が作成する情報とは、購買を喚起する販促情報等抽出手段で抽出される被発行者に伝えるメッセージ情報が想定される。
【００１３】本件発明の好ましい態様によれば、ポイント情報、購買履歴等に応じ、インターネットに接続された携帯電話、ＰＤＡ、パソコンなどの情報通信端末に対し、メッセージ情報を送信することが想定される。
【００１４】さらに、本件出願によれば、前記被発行者が入力した被発行者の属性情報を受信する第五受信手段と、前記属性情報を記憶する第二記憶手段と、前記認証要求者の要求に基づき前記第二記憶手段または前記第三記憶手段から該当するものを抽出する抽出手段と、前記抽出された被認証者に関する情報を認証要求者に送信する送信手段と、認証要求者が作成した情報を記憶しておく第四記憶手段と、認証要求者からの要求に基づき前記抽出された被認証者に第四記憶手段に記憶した情報を送信する第四送信手段を有する請求項５のポイント付与装置が提供される。
【００１５】本件発明の好ましい態様によれば、インターネットに接続された携帯電話、ＰＤＡ、パソコンなどの情報通信端末に対し、二次元コードに関する位置情報、ポイント情報、前記メッセージ情報を送信することが想定される。
【００１６】
【発明の実施形態】
次に、図面に沿って本発明の好ましい実施態様を説明する。
【００１７】図１は、本発明の請求項１、２、９および１０の装置または方法を実施するシステムのブロック図である。図２は、本発明の請求項３、４、１１および１２の装置または方法を実施するシステムのブロック図である。図３は、本発明の請求項５、６、１３および１４の装置または方法を実施するシステムのブロック図である。図４は、本発明を実施した場合の被発行者端末側の表示例である。図５は、被発行者が二次元コードを取得する際に被発行者端末側の表示例である。
【００１８】まず図１に沿って、ポイント付与装置１００の構成を説明する。ポイント付与装置１００は、通信回線に接続された会員情報管理およびポイント情報管理用のデータベースサーバーであり、被発行者から受信した電子メールアドレス等の個人を識別する文字情報を受信した際に二次元コードを生成する生成手段１１３を備えている。二次元コード生成手続１１０では、生成手段１１３が会員情報管理用データベースである第一記憶手段１１５と接続され、第一受信手段１１１に受信された文字情報をもとに生成手段１１３により二次元コードが生成され、これが第一記憶手段１１５に文字情報とともに記憶される。また、二次元コードが生成される位置情報（インターネット上へのリンク）が第一送信手段より被発行者端末側に送信される。被発行者は、このリンク先にアクセスし、生成された二次元コードをダウンロードすることができる。被発行者端末側の被発行者情報発信手段２１０、位置情報受信手段２２０ならびに二次元コード取得手段２３０は、被発行者端末に内蔵されている電子メールソフトの送受信機能、インターネットブラウザ等を利用することができる。
【００１９】第一受信手段１１１に受信されるのは、電子メールアドレス等の文字情報であり、被発行者は事前に発行主体から、被発行者を識別するための数字情報を付与される必要がなく、自らが保有するまたは個人を特定できる文字情報のみで二次元コードを取得することが可能になる。なお、当該文字情報について、電子メールアドレスに限らず、住所、氏名、生年月日、被発行者が任意に設定したパスワード等、二次元コードを生成する際に情報量を増やし、偽造を難しくさせることも可能になる。
【００２０】次に、被発行者判定手続１２０について、説明する。被発行者は、取得した二次元コードを二次元コード記憶手段２４０に記憶させ、認証要求側に被発行者端末２００を持参し、被発行者端末の表示画面に二次元コードを表示させ、認証要求側３００の光学的読取装置３１０により読み取りを行なう。ここでいう、二次元コード記憶手段２４０は、情報通信端末の画面メモ等光学的読取装置とは二次元コードスキャナ等の認証標識を読取装置である。光学的読取装置３１０から送信されてきた二次元コードに関する情報は、第二受信手段１２１に受信され、第一記憶手段１１５に記憶された二次元コードと一致するかの判定を判定手段１２３により行い、判定結果を第二送信手段１２７を通じて認証要求者側３００の判定結果出力装置３２０に通信回線により送信する。判定結果出力装置３２０は、認証要求者側に設置されているパソコン端末である。
【００２１】次に、ポイント付与手続１３０について説明する。認証要求者側３００からのポイント増減要求に関するポイント要求情報がポイント入力装置３３０から入力されると通信回線を通じ、第三受信手段１３１に受信されポイント情報を記憶するデータベースである第二記憶手段１３５の情報とあわせ計算手段１３３により新しいポイントを計算する。計算されたポイント情報は、第二記憶手段１３５を書き換えるのと同時に、被発行者端末２００のポイント情報表示手段２５０もしくは認証要求側３００のポイント情報表示手段３４０またはその双方に第三送信手段１３７を通じて、通信回線により送信される。
【００２２】なお、認証要求者から送信されるポイント情報は、ポイントの増減の情報だけでなく、ポイントの失効、一時停止等に関するものであってもよい。
【００２３】次に図２について説明する。図２は、図１で説明したポイント付与装置１００に第一受信手段１１１に受信された文字情報に対し、固有符号を付与する付与手段１１９を備え、二次元コード情報、文字情報を記憶するデーターベースサーバーである第一記憶手段１１５に前記固有符号もあわせて記憶させる。
【００２４】被発行者端末が変更されたこと等の理由により、被発行者が文字情報の変更を希望する場合には、通信回線を通じ、情報変更要求、既存の被発行者情報ならびに新規の被発行者情報を送信する。ここでいう被発行者の文字情報の変更する理由としては、携帯電話会社の変更による電子メールアドレスの変更、住所の変更、パスワードの変更等が考えられる。また、被発行者端末の情報変更要求手段としては、電子メールによる変更要求の送信、インターネットウェブ上にある変更受付への変更要求が考えられる。
【００２５】次に被発行者情報変更手続き１４０について説明する。前記被発行者からの情報変更要求等の情報は、第四受信手段１４１に受信され、第一記憶手段１１５のデータベースサーバーで一致するものを検索し、第二判定手段１４３で判定する。既存の被発行者情報として第四受信手段１４１に受信されたものが第一記憶手段１１５に記憶されているものと一致した場合のみ、書換手段１４５に書換指示を行い、書換手段１４５は、第一記憶手段１１５の既発行者情報ならびに二次元コード情報を書き換える。
【００２６】この際固有符号は、書換えされず、再度被発行者情報変更要求があった場合の識別符号として維持される。
【００２７】次に図３について説明する。図３は、図１で説明したポイント付与装置に、被発行者が入力した属性情報を受信する第五受信手段１５１と、属性情報を記憶するデータベースサーバーである第三記憶手段１５３と、認証要求者からの抽出要求にもとづき、対象者を抽出する抽出手段１５５と、認証要求者が作成する情報を記憶するデータベースサーバーである第四記憶手段１５８と認証要求者からの指示に基づき、前記抽出された対象者に第四記憶手段１５８に記憶された作成情報を被発行者に送信する第五送信手段１５９を備えている。
【００２８】属性情報管理手続１５０について説明する。被発行者端末２００の属性情報入力手段２７０より性別、年齢、住所、年収等の属性情報が第五受信手段１５１に受信される。この際属性情報入力手段２７０は、電子メールの送信機能、インターネット上の入力フォーム等の入力機能が想定される。認証要求側３００からの抽出要求に基づき、ポイントの多寡、性別、出身別等の抽出情報を抽出手段１５５により行い、抽出情報は第四送信手段により認証要求者側に送信される。
【００２９】認証要求側３００は、抽出された対象者宛のメッセージを作成し、第四記憶手段１５８に記憶させる。さらに認証要求者からの指示に基づき抽出された対象者宛に第五送信手段１５９より被発行者端末２００の認証要求者情報出力手段２８０宛送信される。なお、抽出情報要求装置３５０、抽出情報表示装置３６０ならびに認証要求者情報作成装置３７０はパソコンを通じた要求指示、表示ならびに作成が想定される。また、認証要求者情報出力手段２８０は、電子メールの送受信ソフト等が想定される。
【００３０】図４は、携帯電話を被発行者端末２００とした場合の実施例である。二次元コード取得手段２３０により、ダウンロードされ、二次元コード記憶手段２４０に記憶された二次元コードは、図４のような態様により、携帯電話の画面上に表示される。この画面上の二次元コードには、被発行者が被発行者情報発信手段２１０に基づき発信した電子メールアドレス等の文字情報をもとに生成手段１１３で作成された二次元コードである。当該二次元コードは大容量であるため、従来のような、事前に発行主体が割り当てた数字情報等を識別符号とすることなく、被発行者が入力した文字情報をそのまま二次元コードとして生成することができる。また、文字情報には住所、氏名、被発行者が設定したパスワード等の文字情報を付加して生成することも可能であるため、従来の数字情報にない、安全性も確保されることになる。
【００３１】図５は、第一送信手段１１７により送信されてくる画面であり、当該画面に表示されたリンク情報にアクセスすることにより、二次元コード画面をダウンロードすることが可能になる。
【００３２】上記実施態様は、携帯電話を被発行者端末とした場合の実施例であるが、他に、ＰＤＡ、パソコン等インターネットに接続された情報通信端末であってもよい。
【００３３】
【実施例】図３、図４は、携帯電話を被発行者端末とした場合の実施例である。
【００３４】
【発明の効果】以上のように、本発明によれば、被発行者から送られてきた文字情報をそのまま識別符号としてプラスチックや紙を用いることなく、被発行者に対しポイントを付与することができる。また、文字情報の使用により従来の数字情報を事前に付与する手間がなくなり、かつ高い安全性が確保される。また、被発行者に関する属性情報も書面等の手段によることなく、入手できる上、抽出した属性対象者に限定した情報発信も容易に実現できるようになる。
【図面の簡単な説明】
【図１】本発明の請求項１、２、９および１０の装置または方法を実施するシステムのブロック図である。
【図２】本発明の請求項３、４、１１および１２の装置または方法を実施するシステムのブロック図である。
【図３】本発明の請求項５、６、１３および１４の装置または方法を実施するシステムのブロック図である。
【図４】携帯電話を被発行者端末２００とした場合の実施例である。
【図５】携帯電話を被発行者端末２００とした場合の位置情報受信手段２２０に受信される二次元コードが生成された位置情報に関する情報表示である。
【符号の説明】
１００：ポイント付与装置
１１０：二次元コード生成手続
１１１：第一受信手段
１１３：生成手段
１１５：第一記憶手段（二次元コード情報、文字情報、固有符号のＤＢ）
１１７：第一送信手段
１１９：付与手段
１２０：被発行者判定手続
１２１：第二受信手段
１２３：判定手段
１２５：第二送信手段
１３０：ポイント付与手続
１３１：第三受信手段
１３３：計算手段
１３５：第二記憶手段（ポイント情報ＤＢ）
１３７：第三送信手段
１４０：被発行者情報変更手続
１４１：第四受信手段
１４３：第二判定手段
１４５：書換手段
１５０：属性情報管理手続
１５１：第五受信手段
１５３：第三記憶手段（属性情報ＤＢ）
１５５：抽出手段
１５７：第四送信手段
１５８：第四記憶手段（認証要求者作成情報ＤＢ）
１５９：第五送信手段
２００：被発行者端末
２１０：被発行者情報発信手段
２２０：位置情報受信手段
２３０：二次元コード受信手段
２４０：二次元コード記憶手段
２５０：ポイント情報表示手段
２６０：情報変更要求手段
２７０：属性情報入力手段
２８０：認証要求者情報出力手段
３００：認証要求者側
３１０：光学的読取装置
３２０：判定結果出力装置
３３０：ポイント入力装置
３４０：ポイント情報表示装置
３５０：抽出情報要求装置
３６０：抽出情報表示装置
３７０：認証要求者情報作成装置
【図１】
2004171499.tif 000003
【図２】
2004171499.tif 000004
【図３】
2004171499.tif 000005
【図４】
2004171499.tif 000006
【図５】
2004171499.tif 000007